(57)【要約】【課題】撮像範囲を広くできるドームカメラのインナードームおよびドームカメラ並びにドームカメラのインナードームの製造方法を提供する。【解決手段】カメラと、カメラを収容するインナードーム１４と、インナードーム１４の少なくとも一部を覆うドームカバーと、を備えるドームカメラのインナードーム１４であって、インナードーム１４が、第１半球部２２と、第１半球部２２の半球端面２１に連結され、第１半球部２２の第１外周面２５と連続する第２外周面２６が設けられた第２半球部２３と、第２半球部２３における第１半球部２２と反対側に設けられた開口部２０と、第２半球部２３の第２内周面３０から第１半球部２２の第１内周面３１の一部分に渡って設けられ、開口部２０の開口縁部から第１半球部２２および第２半球部２３の連結する方向に沿う複数のリブ２４と、を有する。【選択図】図２
2013042337.tif 000002
【特許請求の範囲】
【請求項１】
カメラと、
前記カメラを収容するインナードームと、
前記インナードームの少なくとも一部を覆うドームカバーと、を備えるドームカメラのインナードームであって、
前記インナードームが、
第１半球部と、
前記第１半球部の半球端面に連結され、前記第１半球部の第１外周面と連続する第２外周面が設けられた第２半球部と、
前記第２半球部における前記第１半球部と反対側に設けられた開口部と、
前記第２半球部の第２内周面から前記第１半球部の第１内周面の一部分に渡って設けられ、前記開口部の開口縁部から前記第１半球部および前記第２半球部の連結する方向に沿う複数のリブと、を有するドームカメラのインナードーム。
【請求項２】
請求項１に記載のドームカメラのインナードームにおいて、
前記第１半球部および前記第２半球部の連結する方向に沿う前記第１半球部の母線に沿って設けられた切欠部を有し、
前記複数のリブのうち少なくとも１つが、前記切欠部の切欠縁部に沿って設けられたドームカメラのインナードーム。
【請求項３】
請求項１または請求項２に記載のドームカメラのインナードームにおいて、
前記複数のリブが前記第２半球部の第２内周面における対称位置に設けられているドームカメラのインナードーム。
【請求項４】
請求項１ないし請求項３のうちの１項に記載のドームカメラのインナードームにおいて、
前記複数のリブが、前記第２半球部の周方向に対面する周方向端面と、前記第２半球部の径方向に対面する径方向端面とを有し、
前記リブの前記径方向端面における第２半球部側端部が第１半球部側端部よりも前記第２半球部の内側に突出していないドームカメラのインナードーム。
【請求項５】
請求項４に記載のドームカメラのインナードームにおいて、
前記リブの前記径方向端面が前記第１半球部および前記第２半球部の連結する方向に沿っているドームカメラのインナードーム。
【請求項６】
請求項１ないし請求項５のうちの１項に記載のドームカメラのインナードームを用いたドームカメラ。
【請求項７】
カメラと、
前記カメラを収容するインナードームと、
前記インナードームの少なくとも一部を覆うアウタードームと、を備え、
前記インナードームが、
第１半球部と、
前記第１半球部の半球端面に連結され、前記第１半球部の第１外周面と連続する第２外周面が設けられた第２半球部と、
前記第２半球部における前記第１半球部と反対側に設けられた開口部とを有するドームカメラのインナードームの製造方法であって、
前記インナードームの内側となる雄金型が、
前記第１半球部および前記第２半球部の連結する方向に沿う略板状の第１雄金型と、
前記第１雄金型の厚み方向両面に沿う第２雄金型と、を備え、
射出成形後に前記第１雄金型をそれぞれの前記第２雄金型から前記開口部側に移動させ、
次いでそれぞれの前記第２雄金型を互いに接近させ、
前記第１雄金型およびそれぞれの前記第２雄金型を前記開口部側に移動させることにより前記インナードームを脱型させるドームカメラのインナードームの製造方法。
【発明の詳細な説明】
【技術分野】
【０００１】
本発明は、ドームカメラのインナードームおよびドームカメラ並びにドームカメラのインナードームの製造方法に関する。
【背景技術】
【０００２】
ドームカメラは、例えば、施設の監視用に用いられ、施設の壁や天井等に設置される（例えば特許文献１参照）。図９（Ａ），（Ｂ）に示すように、この種のドームカメラ１０１は、所定の撮影方向を撮影するカメラ１０２と、カメラ１０２が取り付けられる下ケース１０３と、下ケース１０３に取り付けられる上ケース１０４と、カメラ１０２を覆うカバー１０５とを備えている。カバー１０５は、透明なプラスチック製の図示しないドームカバーと、不透明なプラスチック製のインナードーム１０６とから構成されている。ドームカメラ１０１のカバー１０５には、カメラ１０２の撮影方向の視野を確保しつつ、他の部分は外部から見えないように保護するために、カメラ１０２の画角の分だけ切り欠いた切欠部１０７が設けられている。
【先行技術文献】
【特許文献】
【０００３】
【特許文献１】特開２００７−１１０４８４号公報（請求項１、図１、段落００１６）
【発明の概要】
【発明が解決しようとする課題】
【０００４】
しかしながら、従来のドームカメラ１０１は、図９（Ｂ）に示すように、インナードーム１０６が半球部１０８と円筒部１０９とからなる。このため、半球部１０８にカメラ１０２の視野を確保するための切欠部１０７を形成していた。カメラ１０２の撮像軸線１１１は、切欠部１０７を通して、円筒部１０９の端面の半径方向を基点として、俯仰回動する。俯仰回動の範囲は、基点により定まる。撮像範囲は、俯仰回動の範囲を超えれば画像がゆがむことから従来では約７５度が限界であった。一方、撮像範囲を拡げるには、切欠部１０７の拡大が考えられる。ところが、切欠部１０７の拡大には、半球部１０８の半球端面１１０に他方の半球部へ外周面が連続するアンダーカット部１１２を設けなければならず、インナードーム１０６の射出成形を困難にした。
【０００５】
本発明は上記状況に鑑みてなされたもので、その目的は、撮像範囲を広くできるドームカメラのインナードームおよびドームカメラ並びにドームカメラのインナードームの製造方法を提供することにある。
【課題を解決するための手段】
【０００６】
本発明のドームカメラのインナードームは、カメラと、前記カメラを収容するインナードームと、前記インナードームの少なくとも一部を覆うドームカバーと、を備えるドームカメラのインナードームであって、前記インナードームが、第１半球部と、前記第１半球部の半球端面に連結され、前記第１半球部の第１外周面と連続する第２外周面が設けられた第２半球部と、前記第２半球部における前記第１半球部と反対側に設けられた開口部と、前記第２半球部の第２内周面から前記第１半球部の第１内周面の一部分に渡って設けられ、前記開口部の開口縁部から前記第１半球部および前記第２半球部の連結する方向に沿う複数のリブと、を有するものである。
【０００７】
また、本発明のドームカメラのインナードームは、前記第１半球部および前記第２半球部の連結する方向に沿う前記第１半球部の母線に沿って設けられた切欠部を有し、前記複数のリブのうち少なくとも１つが、前記切欠部の切欠縁部に沿って設けられたものである。
【０００８】
さらに、本発明のドームカメラのインナードームは、前記複数のリブが前記第２半球部の第２内周面における対称位置に設けられているものである。
【０００９】
さらに、本発明のドームカメラのインナードームは、前記複数のリブが、前記第２半球部の周方向に対面する周方向端面と、前記第２半球部の径方向に対面する径方向端面とを有し、前記リブの前記径方向端面における第２半球部側端部が第１半球部側端部よりも前記第２半球部の内側に突出していないものである。
【００１０】
さらに、本発明のドームカメラのインナードームは、前記リブの前記径方向端面が前記第１半球部および前記第２半球部の連結する方向に沿っているものである。
【００１１】
さらに、本発明のドームカメラは、上記のうちの１つのドームカメラのインナードームを用いたものである。
【００１２】
さらに、本発明のドームカメラのインナードームの製造方法は、カメラと、前記カメラを収容するインナードームと、前記インナードームの少なくとも一部を覆うアウタードームと、を備え、前記インナードームが、第１半球部と、前記第１半球部の半球端面に連結され、前記第１半球部の第１外周面と連続する第２外周面が設けられた第２半球部と、前記第２半球部における前記第１半球部と反対側に設けられた開口部とを有するドームカメラのインナードームの製造方法であって、前記インナードームの内側となる雄金型が、前記第１半球部および前記第２半球部の連結する方向に沿う略板状の第１雄金型と、前記第１雄金型の厚み方向両面に沿う第２雄金型とを備え、射出成形後に前記第１雄金型をそれぞれの前記第２雄金型から前記開口部側に移動させ、次いでそれぞれの前記第２雄金型を互いに接近させ、前記第１雄金型およびそれぞれの前記第２雄金型を前記開口部側に移動させることにより前記インナードームを脱型させるものである。
【発明の効果】
【００１３】
本発明に係るドームカメラのインナードームによれば、第１半球部の半球端面に、第２半球部を連続させたので、撮像範囲を広くできる。
【００１４】
本発明に係るドームカメラによれば、従来、第１半球部のみに形成されていた切欠部を、第２半球部まで拡大できるので、撮像範囲を広くできる。
【００１５】
本発明に係るドームカメラのインナードームの製造方法によれば、従来、形成できなかったアンダーカット部分となる第２半球部をインナードームに形成できるので、撮像範囲を広くできる。
【図面の簡単な説明】
【００１６】
【図１】本発明に係る実施形態のドームカメラの側面図
【図２】（Ａ）は図１に示したインナードームの正面図、（Ｂ）は（Ａ）の平面図、（Ｃ）は（Ａ）の下面図、（Ｄ）は（Ａ）のＳ−Ｓ断面図、（Ｅ）は（Ａ）のＴ−Ｔ断面図、（Ｆ）は図１に示したインナードームのＵ−Ｕ断面図
【図３】図１に示したインナードームを開口部の斜め下方から見た斜視図
【図４】図３に示したインナードームの一部分を切り欠いた斜視図
【図５】斜め上方から見たインナードームの一部分を切り欠いた斜視図
【図６】図１に示したインナードームを半球端面と平行な面で切り欠いた斜視図
【図７】（Ａ）はインナードームを射出成形する金型の断面図、（Ｂ）は（Ａ）の平面図、（Ｃ）は脱型時の分解断面図、（Ｄ）は脱型前の金型の断面図、（Ｅ）は脱型時の金型の断面図
【図８】（Ａ）は脱型前の雄金型の縦断面図、（Ｂ）は（Ａ）の平面図、（Ｃ）は脱型中の雄金型の縦断面図、（Ｄ）は（Ｃ）の平面図
【図９】（Ａ）は従来のドームカメラの斜視図、（Ｂ）は（Ａ）の縦断面図
【発明を実施するための形態】
【００１７】
以下、本発明に係る実施形態について、図面を用いて説明する。
図１は本発明に係る実施形態のドームカメラの側面図である。
本実施の形態に係るドームカメラ１０は、例えば、施設の監視用に用いられ、施設の壁や天井等に設置される。ドームカメラ１０は、カメラ１１が、図示しない下ケースに取り付けられる。カメラ１１は、下ケース、または下ケースに取り付けられる図示しない上ケースを介して取り付けられるカバー１２によって覆われる。カバー１２は、透明なプラスチック製のドームカバー（アウタードーム）１３と、不透明なプラスチック製のインナードーム１４とから構成されている。
なお、ドームカメラ１０は、例えば天井に設置された場合は、下ケースが上となり、上ケースが下となる。
【００１８】
本実施形態において、インナードーム１４は、外周面の円周方向に段部１５を有する。段部１５の段差は、ドームカバー１３の厚みと等しい。段部１５は、上下軸１６に直交する仮想面に対して傾斜して形成される。つまり、ドームカバー１３は、インナードーム１４の一部を覆っている。カメラ１１は、上下軸１６に直交する支持軸１７を中心に俯仰回動するように取り付けられている。カメラ１１のレンズ部１８の前方は、カメラ１１の撮影方向の視野を確保するためのインナードーム１４に形成された切欠部１９（図２参照）となっている。切欠部１９は、他の部分は外部から見えないように保護するために、カメラ１１の画角の分だけインナードーム１４を切り欠いて形成される。
【００１９】
次に、上記ドームカメラ１０が有するインナードーム１４について説明する。
図２（Ａ）は図１に示したインナードーム１４の正面図、図２（Ｂ）は図２（Ａ）の平面図、図２（Ｃ）は図２（Ａ）の下面図、図２（Ｄ）は図２（Ａ）のＳ−Ｓ断面図、図２（Ｅ）は図２（Ａ）のＴ−Ｔ断面図、図２（Ｆ）は図１に示したインナードーム１４のＵ−Ｕ断面図、図３は図１に示したインナードーム１４を開口部２０の斜め下方から見た斜視図、図４は図３に示したインナードーム１４の一部分を切り欠いた斜視図、図５は斜め上方から見たインナードーム１４の一部分を切り欠いた斜視図、図６は図１に示したインナードーム１４を半球端面２１と平行な面で切り欠いた斜視図である。
インナードーム１４は、第１半球部２２と、第２半球部２３と、開口部２０と、リブ２４と、を有して形成される。第１半球部２２は、第２半球部２３と一体に射出成形される部位で、アンダーカットは存在しない。
【００２０】
第２半球部２３は、第１半球部２２の半球端面２１に連結され、第１半球部２２の第１外周面２５と連続する第２外周面２６が設けられる。第１半球部２２の半球端面２１で内部空間２７が最大直径となったインナードーム１４は、内部空間２７を第２半球部側に移動するにつれて内部空間２７の直径が縮径する。つまり、インナードーム１４は、この第２半球部２３が、第１半球部２２の半球端面２１に一体に連続して形成されることで、アンダーカットが発生している。
【００２１】
開口部２０は、第２半球部２３における第１半球部２２と反対側に設けられる。開口部２０の周囲にはフランジ部２８が形成される。インナードーム１４は、第１半球部２２とこのフランジ部２８との間が第２半球部２３で絞られた形状となっている。フランジ部２８の下面にはセレーション２９が環状に形成され、セレーション２９は図示しない下ケースのケース側セレーションと噛み合う。
【００２２】
リブ２４は、第２半球部２３の第２内周面３０（図５参照）から第１半球部２２の第１内周面３１の一部分に渡って設けられている。すなわち、開口部２０の開口縁部３２から第１半球部２２および第２半球部２３の連結する方向に沿って形成されている。本実施形態では、６つのリブ２４が形成されている。
【００２３】
インナードーム１４に形成される上記の切欠部１９は、第１半球部２２および第２半球部２３の連結する方向に沿う第１半球部２２の母線に沿って設けられている。それぞれのリブ２４のうち少なくとも１つは、図４に示すように、切欠部１９の切欠縁部３３に沿って設けられている。本実施形態では、切欠部１９の両側の切欠縁部３３にリブ２４がそれぞれ設けられる。切欠縁部３３に沿ってリブ２４が設けられることで、切欠縁部３３の強度が高められ、切欠部１９を形成してもインナードーム１４の強度が低下しなくなる。
【００２４】
それぞれのリブ２４は、第２半球部２３の第２内周面３０における対称位置に設けられている。すなわち、リブ２４は、第１半球部２２における半球端面２１の中心を点対称に配設される。複数のリブ２４が、点対称に配設されることで、射出成形時の偏肉が生じ難くなる。また、リブ２４が円周方向に均等に配置されることにより、インナードーム１４の強度も均等に高まる。
【００２５】
それぞれのリブ２４は、第２半球部２３の周方向に対面する図５に示す周方向端面３４と、第２半球部２３の径方向に対面する径方向端面３５とを有して形成される。図３に示すように、リブ２４の径方向端面３５における第２半球部側端部３６は、第１半球部側端部３７よりも第２半球部２３の内側に突出していない。つまり、径方向端面３５は、上下軸１６と平行となる。後に詳述するように、このリブ２４が形成されることで、インナードーム１４は、射出成形後、雄金型３８（図７（Ａ）参照）が開口部２０から脱型され易くなっている。
【００２６】
脱型方向の手前側に位置する第２半球部側端部３６が、脱型方向の奥側に位置する第１半球部側端部３７よりも、第２半球部２３の内側に突出していないことで、径方向端面３５がアンダーカットとならず、雄金型３８の脱型が容易となっている。
【００２７】
また、リブ２４の径方向端面３５は、第１半球部２２および第２半球部２３の連結する方向に沿っている。リブ２４の径方向端面３５が、雄金型３８の脱型方向に沿って形成されていることで、雄金型３８の脱型が容易となっている。
【００２８】
次に、上記構成を有するインナードーム１４の作用を説明する。
上記のように構成されるインナードーム１４では、第１半球部２２の半球端面２１に、第２半球部２３が連結されることで、従来、第１半球部２２のみの範囲でしか形成できなかった切欠部１９が、第２半球部２３に渡って拡大形成可能となる。これにより、切欠部１９を通して俯仰回動するカメラ１１の撮像軸線が従来よりも大きな範囲で俯仰回動可能となる。また、インナードーム１４のアンダーカット部分にリブ２４が形成されていることにより、アンダーカットの存在するインナードーム１４であっても、リブ２４に沿う雄金型３８は脱型が可能となる。つまり、リブ２４を設けることで、アンダーカットによる脱型の制約が回避可能となっている。
【００２９】
従って、上記構成のインナードーム１４を備えるドームカメラ１０では、従来、第１半球部２２のみで形成されていた切欠部１９が、第２半球部２３まで拡大されることになり、カメラ１１の俯仰回動の範囲が従来よりも大きくなる。
【００３０】
次に、インナードーム１４の製造方法について説明する。
インナードーム１４は、金型３９を用いた射出成形によって製造される。製造方法に先立ち、金型３９について説明する。
図７（Ａ）はインナードーム１４を射出成形する金型３９の断面図、図７（Ｂ）は図７（Ａ）の平面図、図７（Ｃ）は脱型時の分解断面図、図７（Ｄ）は脱型前の金型３９の断面図、図７（Ｅ）は脱型時の金型３９の断面図である。
金型３９は、雄金型３８と、雌金型４０と、スライド金型４１と、からなる。雄金型３８は、第１雄金型４２と、第２雄金型４３と、からなる。雌金型４０は、第１雌金型４４と、第２雌金型４５とからなる。スライド金型４１は、切欠部用スライド金型４６と、切欠部アンダーカット用スライド金型４７と、からなる。すなわち、金型３９は、６種のものからなる。
【００３１】
図８（Ａ）は脱型前の雄金型３８の縦断面図、図８（Ｂ）は図８（Ａ）の平面図、図８（Ｃ）は脱型中の雄金型３８の縦断面図、図８（Ｄ）は図８（Ｃ）の平面図である。
インナードーム１４の内側となる雄金型３８は、第１半球部２２および第２半球部２３の連結する方向に沿う略板状の第１雄金型４２と、第１雄金型４２の厚み方向両面４８に沿う第２雄金型４３とを備える。すなわち、第１雄金型４２は、放射状に配置した複数の立板部４９を、中心の軸部５０に連結した平断面視、菊花状に形成される。軸部５０は、脱型の方向に向かって徐々に大径となるテーパーで形成される。それぞれの立板部４９は、平断面形状が軸部５０に向かって薄厚となる楔形状となる。立板部同士の間には、それぞれ第２雄金型４３が配置される。第２雄金型４３も、平断面形状が軸部５０に向かって薄厚となる楔形状となる。第２雄金型４３の輪郭形状は、図８（Ａ）に示すように、インナードーム１４の第１内周面３１、第２内周面３０を形成する形状となる。第１雄金型４２の側端面は、図８（Ｂ）に示すように、リブ２４の径方向端面３５を形成する形状となる。
【００３２】
第１雄金型４２は、複数の立板部４９が軸部５０で一体に形成され、図８（Ｃ）に示すように、軸部５０が脱型されることで、複数の立板部４９が同時に脱型の方向（矢印Ｇ方向）へ移動される。この移動により、第２雄金型４３は、縮径方向（矢印Ｈ方向）へ移動が可能となる。第１雄金型４２が脱型の方向へ移動され、第２雄金型４３が縮径方向へ移動されることで、図８（Ｄ）に示すように、第２雄金型４３の輪郭は、リブ２４の厚み分縮径が可能となる。
【００３３】
第１雌金型４４と、第２雌金型４５とは、切欠部１９を挟むインナードーム１４の左右の第１外周面２５および第２外周面２６を形成する。切欠部用スライド金型４６は、切欠部１９を形成する。切欠部用スライド金型４６のスライド下面５１（図７（Ｃ）参照）は、第１半球部２２と第２半球部２３との境界面と同一面となる。切欠部アンダーカット用スライド金型４７は、切欠部１９のアンダーカット部分を形成する。これらそれぞれの第１雄金型４２、第２雄金型４３、第１雌金型４４、第２雌金型４５、切欠部用スライド金型４６、切欠部アンダーカット用スライド金型４７は、図７（Ｃ）に付したそれぞれの矢印方向へ移動できるよう構成されている。
【００３４】
次に、金型３９を用いたインナードーム１４の製造方法について説明する。
インナードーム１４を射出成形するには、第１雄金型４２の立板部同士の間に、第２雄金型４３を配置し、図８（Ａ）の状態とする。次いで、これら組み付けられた第１雄金型４２、第２雄金型４３を覆うようにして第１雌金型４４と第２雌金型４５が合わせられる。合わせられた第１雌金型４４と第２雌金型４５の切欠部１９に相当する部分には、切欠部アンダーカット用スライド金型４７と、切欠部用スライド金型４６とが配置される。これにより、図７（Ａ）に示す状態とする。
【００３５】
この状態で、雄金型３８と雌金型４０との射出成形間隙に、所定の樹脂材料を射出して、インナードーム１４の成形品を得る。
【００３６】
射出成形後の脱型は、先ず、図８（Ｃ）に示すように、第１雄金型４２のみをそれぞれの第２雄金型４３から開口部側に移動させる。次いで、それぞれの第２雄金型４３を互いに接近させ、第１雄金型４２およびそれぞれの第２雄金型４３を開口部側に移動させることによりインナードーム１４を脱型させる。
【００３７】
このように、インナードーム１４の製造方法では、雄金型３８の脱型方向に沿う雄金型中心軸５２を中心として円周方向で、第１雄金型４２を挟んで複数の第２雄金型４３が配置されて雄金型３８が構成されている。射出成形の後、第１雄金型４２が第２雄金型４３に対して開口部２０へ移動されることで、第２雄金型４３には第１雄金型４２が移動されたことによる間隙が円周方向に形成される。第２雄金型同士は、この間隙を無くす方向に相互に接近させることが可能となる。この接近移動により第２雄金型４３は、図８（Ｄ）に示すように、外径が縮径可能となる。この縮径によって、アンダーカット成形部分が外周に設けられた第２雄金型４３であっても、製品であるインナードーム１４の開口部２０から脱型が可能となる。この際、第２雄金型４３の脱型に先立ち脱型される第１雄金型４２は、インナードーム１４にリブ２４が形成されていることにより、リブ２４に沿う容易な脱型が実現する。
【００３８】
従って、本実施形態に係るドームカメラ１０のインナードーム１４によれば、第１半球部２２の半球端面２１に、第２半球部２３を連続させたので、撮像範囲を広くできる。
【００３９】
また、本実施形態に係るドームカメラ１０によれば、従来、第１半球部２２のみに形成されていた切欠部１９を、第２半球部２３まで拡大できるので、撮像範囲を広くできる。
【００４０】
さらに、本実施形態に係るドームカメラ１０のインナードーム１４の製造方法によれば、従来、形成できなかったアンダーカット部分となる第２半球部２３をインナードーム１４に形成できるので、撮像範囲を広くできる。
【産業上の利用可能性】
【００４１】
本発明は、撮像範囲を広くできるドームカメラに適用できる。
【符号の説明】
【００４２】
１０  ドームカメラ
１１  カメラ
１３  ドームカバー（アウタードーム）
１４  インナードーム
１９  切欠部
２０  開口部
２１  半球端面
２２  第１半球部
２３  第２半球部
２４  リブ
２５  第１外周面
２６  第２外周面
３０  第２内周面
３１  第１内周面
３２  開口縁部
３３  切欠縁部
３４  周方向端面
３５  径方向端面
３６  第２半球部側端部
３７  第１半球部側端部
３８  雄金型
４２  第１雄金型
４３  第２雄金型
４８  厚み方向両面
【図１】
2013042337.tif 000003
【図２】
2013042337.tif 000004
【図３】
2013042337.tif 000005
【図４】
2013042337.tif 000006
【図５】
2013042337.tif 000007
【図６】
2013042337.tif 000008
【図７】
2013042337.tif 000009
【図８】
2013042337.tif 000010
【図９】
2013042337.tif 000011